(57)【要約】  【課題】    製作時において床パネルとしての最終的なサイズ加工を施す際に表面仕上げ板のみを所定の寸法に仕上げるだけで済み、しかも表面仕上げ板の周縁を折り曲げ加工する必要もなく、従って安価に製造し提供することが可能であると共に、床パネルを敷設してフリーアクセスフロアを構築した際に隣接する床パネル同士の間に凹部が生じる惧れのないフリーアクセスフロア用床パネルを提供すること。  【解決手段】  アルミダイカストにより定型矩形状に形成されたパネル本体１の上面に表面仕上げ板２が一体的に設けられるフリーアクセスフロア用床パネルであって、表面仕上げ板２を床パネルＡとして決められた仕様の大きさに形成し、パネル本体１を床パネルとして決められた仕様の大きさより若干小さく形成し、表面仕上げ板２の端面２ａ同士を突き合わせて敷設するように構成した。  【選択図】    図１
0003119916.tif 000002
【実用新案登録請求の範囲】
【請求項１】
アルミダイカストにより定型矩形状に形成されたパネル本体の上面に表面仕上げ板が一体的に設けられるフリーアクセスフロア用床パネルであって、
前記表面仕上げ板を床パネルとして決められた仕様の大きさに形成し、前記パネル本体を床パネルとして決められた仕様の大きさより若干小さく形成し、前記表面仕上げ板の端面同士を突き合わせて敷設するように構成したことを特徴とするフリーアクセスフロア用床パネル。
【考案の詳細な説明】
【技術分野】
【０００１】
本考案は、フリーアクセスフロア用床パネルに関し、特にアルミダイカスト（鋳造法）により定型矩形状に形成されたパネル本体の上面に表面仕上げ板が一体的に設けられるフリーアクセスフロア用床パネルに関し、更に詳しくは、その表面に対して高い耐磨耗性が要求されるクリーンルーム等で使用されるフリーアクセスフロア用床パネルに関するものである。
【背景技術】
【０００２】
この種フリーアクセスフロア用床パネルでは、パネル本体の上面に設けられる表面仕上げ板として高い耐磨耗性を備えたステンレス材等の金属板などが使用される。そして、床パネルとして決められた仕様の大きさに仕上げる場合に、パネル本体及び表面仕上げ板をそれぞれ目的の寸法より少し大きめに成形しておき、図２に示す如くパネル本体１の上面に表面仕上げ板２を重ね合わせて一体化した後に、パネル本体１及び表面仕上げ板２の周縁部分Ｂをカッター（又は研削・ヤスリなど）Ｃで一緒に切断（又は研削）することにより所定の寸法に仕上げるか、或いは図３に示す如く表面仕上げ板２の周縁部分２’をパネル本体１の外周に沿って折り曲げ加工して仕上げている。
【０００３】
しかし、前者の方法で床パネルを作製する場合、床パネルとして決められた仕様の大きさに高い精度で製作することができるが、パネル本体と表面仕上げ板の周縁をカッター等で一緒に切断・研削するのには特殊な設備を必要とし且つ生産性が良くないのでコスト高になる。
また、後者の方法で床パネルを作製する場合には、表面仕上げ板２の周縁部分２’をパネル本体１の外周に沿って折り曲げ加工する余計な工程が増えるのでその分コスト高になるだけでなく、表面仕上げ板の折り曲げた部分２”がどうしても丸く大きな曲率（Ｒ）になってしまうので、これらの床パネルを敷設してフリーアクセスフロアを構築すると隣接する床パネル同士の間に凹部が生じ、その上を運搬車両等が移動する時に車両の車輪Ｄが凹部に落ち込んで運搬車両がガタつく不具合があった。
【０００４】
尚、本願出願人が知っている上記の先行技術は、文献公知考案に係るものではないので本願明細書には先行技術文献情報を開示しない。
【考案の開示】
【考案が解決しようとする課題】
【０００５】
本考案はこのような現状に鑑みてなされたものであり、製作時において床パネルとしての最終的なサイズ加工を施す際に表面仕上げ板のみを所定の寸法に仕上げるだけで済み、しかも表面仕上げ板の周縁を折り曲げ加工する必要もなく、従って安価に製造し提供することが可能であると共に、床パネルを敷設してフリーアクセスフロアを構築した際に隣接する床パネル同士の間に凹部が生じる惧れのないフリーアクセスフロア用床パネルを提供せんとするものである。
【課題を解決するための手段】
【０００６】
斯かる目的を達成する本考案のフリーアクセスフロア用床パネルは、アルミダイカストにより定型矩形状に形成されたパネル本体の上面に表面仕上げ板が一体的に設けられるフリーアクセスフロア用床パネルであって、前記表面仕上げ板を床パネルとして決められた仕様の大きさに形成し、前記パネル本体を床パネルとして決められた仕様の大きさより若干小さく形成し、前記表面仕上げ板の端面同士を突き合わせて敷設するように構成したことを特徴としたものである。
【考案の効果】
【０００７】
本考案に係るフリーアクセスフロア用床パネルによれば、表面仕上げ板を床パネルとして決められた仕様の大きさに形成し、パネル本体を床パネルとして決められた仕様の大きさより若干小さく形成し、表面仕上げ板の端面同士を突き合わせて敷設するようにしたので、パネル本体は床パネルとしてのサイズ（仕上げ外形寸法）決定に全く影響を及ぼすことがなく、且つ表面仕上げ板の周縁を折り曲げ加工する必要もない。
従って、製作時において床パネルとしての最終的なサイズ加工を施す際に表面仕上げ板のみを所定の寸法（床パネルとして決められた仕様の大きさ）に仕上げるだけで済むので、従来のこの種の床パネルと比較して、安価に製造し提供することが可能となる。
【０００８】
また、表面仕上げ板の周縁を折り曲げ加工することなく表面仕上げ板の端面同士を突き合わせて敷設するように構成したので、パネル本体と表面仕上げ板を一緒に切断（又は研削）することがないので、床パネルを敷設してフリーアクセスフロアを構築した際に隣接する床パネル同士の間に凹部が生じる惧れがない。
【考案を実施するための最良の形態】
【０００９】
以下、本考案の具体的な好適実施例を、図面を参照しながら詳細に説明するが、本考案は図示した実施例のものに限定されるものではない。
【００１０】
本考案に係るフリーアクセスフロア用床パネルは、アルミニウム合金を用いてダイカスト鋳造法により定型矩形状に形成されるパネル本体１の上面に表面仕上げ板２が一体的に重ね合わされて形成され、表面仕上げ板２の端面２ａ同士を突き合わせて敷設される。
【００１１】
パネル本体１は、所定の大きさ（床パネルＡとして決められた仕様の大きさ）より若干（0.5mm〜１mm程）小さい定型矩形状（例えば、一辺が59.9cmの正方形）に形成され、その上面に表面仕上げ板２が一体的に重ね合わされる。
【００１２】
表面仕上げ板２としては従来と同様に、適当な厚さ（例えば、１〜３mm程度）を有する耐磨耗性に優れたステンレス材等の金属板などが使用され、所定の大きさ（床パネルＡとして決められた仕様の大きさ）をした定型矩形状（例えば、一辺が６０cmの正方形）に形成される。
なお、表面仕上げ板２としてステンレス材等の金属板を用いる場合、金属板の表面に適宜な模様や塗装或いはメッキを施したものを使用することも可能である。
【００１３】
而して、予め、表面仕上げ板２を床パネルＡとして決められた仕様の大きさに形成し、パネル本体１をアルミダイカストにより床パネルとして決められた仕様の大きさより若干小さく形成しておき、パネル本体１の上面に表面仕上げ板２を互いに中心を合わせて重ね合わせて一体化させて、図１に示すごとく表面仕上げ板２の端面２ａを四周にわたり水平方向にパネル本体１の端面１ａより若干（Ｈ＝0.5mm〜１mm程）突出させる。
【００１４】
そして、パネル本体１の四隅コーナー部を支持脚（図示せず）で支承せしめ、隣接する表面仕上げ板２の端面２ａ同士を突き合わせてフリーアクセスフロアを敷設構築する。
なお、表面仕上げ板２を凹窪１３内に一体的に収納設置する手段としては、従来と同様に、接着剤や両面接着テープを用いた接着止め、或いはビスやスタッドボルトを用いた機械的固定などを採用しえる。
床パネルＡは、表面仕上げ板２の端面２ａ同士を突き合わせた状態に敷設される。
【図面の簡単な説明】
【００１５】
【図１】本考案実施の一例を示す半断面図。
【図２】従来例を説明する要部の拡大断面図。
【図３】他の従来例を説明する要部の拡大断面図。
【符号の説明】
【００１６】
Ａ：床パネル
１：パネル本体
１ａ：パネル本体の端面
２：表面仕上げ板
２ａ：表面仕上げ板の端面
【図１】
0003119916.tif 000003
【図２】
0003119916.tif 000004
【図３】
0003119916.tif 000005